【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
原稿を読み取り、画像データを生成する読取処理を実行するスキャナ部と、前記読取処理によって生成された前記画像データを記憶する記憶手段を有するコントローラ部とを有する画像処理装置であって、
前記スキャナ部から画像バスを介して前記記憶手段へ画像データを転送する転送手段と、
前記転送手段による前記画像データの転送レートを、少なくとも第１の転送レート、または前記第１の転送レートより低い第２の転送レートに設定する設定手段と、
前記読取処理が開始されるときに前記画像バスを使用する所定の処理が実行されている場合に前記転送レートを前記第２の転送レートに設定するか否かの設定を受け付ける受付手段と、
を有し、
前記設定手段は、前記読取処理が開始されるときに前記画像バスを使用する所定の処理が実行されていない場合に前記転送レートを前記第１の転送レートに設定し、
前記読取処理が開始されるときに前記画像バスを使用する所定の処理が実行されている場合に、前記受付手段によって受け付けた前記設定に基づいて前記転送レートを設定することを特徴とする画像処理装置。
【請求項２】
前記設定手段は、前記読取処理が開始されるときに前記画像バスを使用する所定の処理が実行されている場合に前記転送レートを前記第２の転送レートに設定するよう設定されており、前記読取処理が開始されるときに前記画像バスを使用する所定の処理が実行されている場合に前記転送レートを前記第２の転送レートに設定し、
前記読取処理が開始されるときに前記画像バスを使用する所定の処理が実行されている場合に前記転送レートを前記第２の転送レートに設定しないよう設定されており、前記読取処理が開始されるときに前記画像バスを使用する所定の処理が実行されている場合に前記転送レートを前記第１の転送レートに設定し、前記所定の処理の実行を停止することを特徴とする請求項１に記載の画像処理装置。
【請求項３】
印刷手段をさらに有し、
前記所定の処理は前記印刷手段による印刷処理であることを特徴とする請求項２に記載の画像処理装置。
【請求項４】
前記設定手段は、前記読取処理が開始されるときに他の所定の処理が実行されている場合に、前記転送レートを前記第１の転送レートに設定することを特徴とする請求項１に記載の画像処理装置。
【請求項５】
ネットワークインタフェース部をさらに有し、
前記他の所定の処理は前記画像データを前記ネットワークインタフェース部を介して送信する送信処理であることを特徴とする請求項４に記載の画像処理装置。
【請求項６】
前記設定手段は、前記画像データの転送レートを、転送イネーブルクロックを第１の周波数または前記第１の周波数より周波数が低い第２の周波数に設定することによって、少なくとも前記第１の転送レートまたは前記第２の転送レートに設定することを特徴とする請求項１乃至５のいずれか１項に記載の画像処理装置。
【請求項７】
印刷手段をさらに有し、
前記印刷手段は、前記記憶手段から読み出された前記画像データに基づいて印刷を実行することを特徴とする請求項１に記載の画像処理装置。
【請求項８】
印刷手段をさらに有し、
前記印刷手段は、前記記憶手段から前記画像バスを介して読み出された前記画像データに基づいて印刷を実行することを特徴とする請求項１に記載の画像処理装置。
【請求項９】
画像処理部をさらに有し、
前記画像処理部は前記記憶手段から前記画像バスを介して読み出された前記画像データに対して画像処理を実行することを特徴とする請求項１乃至８のいずれか１項に記載の画像処理装置。
【請求項１０】
原稿を読み取り、画像データを生成する読取処理を実行するスキャナ部と、前記読取処理によって生成された前記画像データを記憶する記憶手段を有するコントローラ部とを有する画像処理装置の制御方法であって、
前記画像処理装置は、前記スキャナ部から画像バスを介して前記記憶手段へ画像データを転送する転送手段、を有し、
前記転送手段による前記画像データの転送レートを、少なくとも第１の転送レート、または前記第１の転送レートより低い第２の転送レートに設定する設定工程と、
前記読取処理が開始されるときに前記画像バスを使用する所定の処理が実行されている場合に前記転送レートを前記第２の転送レートに設定するか否かの設定を受け付ける受付工程と、
を有し、
前記設定工程は、前記読取処理が開始されるときに前記画像バスを使用する所定の処理が実行されていない場合に前記転送レートを前記第１の転送レートに設定し、
前記読取処理が開始されるときに前記画像バスを使用する所定の処理が実行されている場合に、前記受付工程によって受け付けた前記設定に基づいて前記転送レートを設定することを特徴とする画像処理装置の制御方法。
【請求項１１】
原稿を読み取り、画像データを生成する読取処理を実行するスキャナ部と、前記読取処理によって生成された前記画像データを記憶する記憶手段を有するコントローラ部とを有する画像処理装置の制御方法をコンピュータに実行させるプログラムであって、
前記画像処理装置は、前記スキャナ部から画像バスを介して前記記憶手段へ画像データを転送する転送手段、を有し、
前記転送手段による前記画像データの転送レートを、少なくとも第１の転送レート、または前記第１の転送レートより低い第２の転送レートに設定する設定工程と、
前記読取処理が開始されるときに前記画像バスを使用する所定の処理が実行されている場合に前記転送レートを前記第２の転送レートに設定するか否かの設定を受け付ける受付工程と、
を有し、
前記設定工程は、前記読取処理が開始されるときに前記画像バスを使用する所定の処理が実行されていない場合に前記転送レートを前記第１の転送レートに設定し、
前記読取処理が開始されるときに前記画像バスを使用する所定の処理が実行されている場合に、前記受付工程によって受け付けた前記設定に基づいて前記転送レートを設定することを特徴とするプログラム。
【手続補正２】
【補正対象書類名】明細書
【補正対象項目名】発明の名称
【補正方法】変更
【補正の内容】
【発明の名称】画像処理装置、画像処理装置の制御方法、およびプログラム
【手続補正３】
【補正対象書類名】明細書
【補正対象項目名】００１０
【補正方法】変更
【補正の内容】
【００１０】
本発明に係る画像処理装置は、原稿を読み取り、画像データを生成する読取処理を実行するスキャナ部と、前記読取処理によって生成された前記画像データを記憶する記憶手段を有するコントローラ部とを有する画像処理装置であって、前記スキャナ部から画像バスを介して前記記憶手段へ画像データを転送する転送手段と、前記転送手段による前記画像データの転送レートを、少なくとも第１の転送レート、または前記第１の転送レートより低い第２の転送レートに設定する設定手段と、前記読取処理が開始されるときに前記画像バスを使用する所定の処理が実行されている場合に前記転送レートを前記第２の転送レートに設定するか否かの設定を受け付ける受付手段と、を有し、前記設定手段は、前記読取処理が開始されるときに前記画像バスを使用する所定の処理が実行されていない場合に前記転送レートを前記第１の転送レートに設定し、前記読取処理が開始されるときに前記画像バスを使用する所定の処理が実行されている場合に、前記受付手段によって受け付けた前記設定に基づいて前記転送レートを設定する。
【手続補正４】
【補正対象書類名】明細書
【補正対象項目名】００１１
【補正方法】変更
【補正の内容】
【００１１】
本発明では、読取処理が開始されるときに画像バスを使用する所定の処理が実行されている場合にスキャナ部からコントローラ部の記憶手段への画像データの転送レートを低くするか否かの設定を行うことができる。
【手続補正５】
【補正対象書類名】明細書
【補正対象項目名】００１５
【補正方法】変更
【補正の内容】
【００１５】
図１の複合機１００は、原稿をスキャンして画像データを生成するスキャナ部１１２、画像データを用紙に印刷するプリンタ部１１３、操作部１１４、制御ユニット１１５、システムメモリ１０５、を有する画像処理装置である。
【手続補正６】
【補正対象書類名】明細書
【補正対象項目名】０１２１
【補正方法】変更
【補正の内容】
【０１２１】
ステップＳ１０１３において、ＣＰＵ１０３は、ＩＯ部１０９へ並列転送モードで動作することを通知し、ステップＳ１００９にて保留した他の処理の実行を再開し、図１０の処理を終了する。他の処理に係る処理部は、低速転送用の低い周波数の転送イネーブルクロックに同期させて画像データを転送しながら、処理を再開する。この場合の画像データの転送レートは、上述した高速転送用の第１の転送レートより低い低速転送用の第２の転送レートとなる。